(57)【特許請求の範囲】
【請求項１】
複数の入力機器と、
複数の出力機器と、
上記各入力機器と各出力機器との間に設けられ、これらを接続可能なマトリックス手段と、
上記各入力機器に対応して設けられ各入力機器をいずれの出力機器に接続するかを表わすグループ情報が記憶されている記憶手段と、
上記各グループ情報のうちのいずれかによってそれぞれ指定された上記入力機器と上記出力機器とを接続するように上記マトリックス手段を制御すると共に、上記指定された出力機器に関する情報を出力するマトリックス制御手段と、
上記各入力機器にそれぞれ対応する上記各グループ情報に、上記指定された出力機器が含まれているか否かを判定するグループ判定手段と、
上記各入力機器にそれぞれ設けられ、上記グループ判定手段による判定結果を表示する表示手段と、
を具備するマトリックス装置の配線状態表示装置。
【請求項２】
上記各入力機器は、予め割り当てられた優先順位を有し、
上記マトリックス制御手段は、上記指定された出力機器に関する情報と共に、上記指定された入力機器に関する情報を出力し、
上記各入力機器毎に割り当てられた優先順位と、上記指定された入力機器に割り当てられた優先順位とを比較し、その比較結果を上記各表示手段にそれぞれ表示させる優先順位判定手段を備えた請求項１に記載のマトリックス装置の配線状態表示装置。
【発明の詳細な説明】
【０００１】
【発明の属する技術分野】
本発明は、複数の入力機器と複数の出力機器とを有し、上記各入力機器をいずれの出力機器に接続するかを制御するマトリックス装置において、上記各入出力機器間の配線状態を表示する配線状態表示装置に関し、特に、各入力機器に上記配線状態を表示する表示装置に関する。
【０００２】
【従来の技術】
上記のようなマトリックス装置は、例えばビルの構内放送設備等に用いられるが、その従来例として、例えば図７（ａ）に示すようなものがある。同図に示すように、このマトリックス装置は、マトリックス装置本体（以下、装置本体と言う。）１と、上記入力機器として装置本体１の入力側（同図の左側）に接続された複数のマイクロホン２、２、・・・と、上記出力機器として装置本体の出力側（同図の右側）に接続された複数のスピーカ３、３、・・・と、で構成されている。
【０００３】
このうち、装置本体１は、内部に、例えば複数のディジタルバス１１ａ、１１ａ、・・・から成るディジタルバス形式のマトリックス回路１１を有しており、このマトリックス回路１１（各バス１１ａ、１１ａ、・・・）は、装置本体１内に設けられたＣＰＵ（中央演算処理装置）１２の命令に従って、上記各マイクロホン２、２、・・・と各スピーカ３、３、・・・とを接続する。
【０００４】
なお、各マイクロホン２、２、・・・を、いずれのスピーカ３、３、・・・に接続するかについての所謂配線パターンを表わすグループ情報は、各マイクロホン２、２、・・・に対応するもの毎に、それぞれ１以上、装置本体１内に設けられた例えばＲＡＭやＲＯＭ構成のメモリ１３内に予め記憶されている。そして、ＣＰＵ１２は、このＣＰＵ１２自体に後述する制御信号が入力されると、この入力された制御信号に対応するグループ情報を上記メモリ１３から呼び出して、この呼び出したグループ情報によってそれぞれ指定されたマイクロホン２、２、・・・とスピーカ３、３、・・・とを接続するように、上記マトリックス回路１１を制御する。なお、このグループ情報には、１台のマイクロホン２につき１台のスピーカ３のみを接続するという情報もあれば、１台のマイクロホン２につき複数台のスピーカ３、３、・・・を接続するという情報もある。
【０００５】
一方、上記入力機器を構成する各マイクロホン２、２、・・・は、図７（ａ）に示すように、内部に、それぞれに専用のＣＰＵ２１を有している。このＣＰＵ２１は、これに接続されたトークスイッチ２２の操作に応じて、収音マイク２３の出力側に直列に設けられた音声スイッチ２４を開閉し、これによって、このマイクロホン２自体のＯＮ／ＯＦＦ動作（使用状態／非使用状態）を切り換える。
【０００６】
また、ＣＰＵ２１は、これに接続されたグループ選択スイッチ２５の操作に応じて上述した制御信号を生成し、これを装置本体１側のＣＰＵ１２に送信する。これによって、装置本体１内のＣＰＵ１２は、メモリ１３内に記憶されている上述した各グループ情報のうち、上記制御信号に対応するもの、即ちこの制御信号を出力しているマイクロホン２に対応するグループ情報を呼び出して、この呼び出したグループ情報によって指定されているスピーカ３、３、・・・と、上記制御手段を出力しているマイクロホン２とを接続するように、マトリックス回路１１（各バス１１ａ、１１ａ、・・・）を制御する。
【０００７】
即ち、ＣＰＵ２１は、上述したグループ情報のうち、このマイクロホン２に対応して設けられたグループ情報を装置本体１内のメモリ１３から呼び出し、これによって、このマイクロホン２を、上記呼び出したグループ情報によって指定されるスピーカ３、３、・・・に接続するよう、即ち使用可能な状態とするよう、装置本体１側のＣＰＵ１２をリモート制御する。なお、このＣＰＵ２１の一連の動作は、マイクロホン２内に設けられている例えばＲＡＭやＲＯＭ構成のメモリ２６内に記憶されているプログラムに従って行われる。
【０００８】
なお、上述したように、装置本体１内のメモリ１３には、１台のマイクロホン２に対応するグループ情報が、１以上、例えば複数記憶されているが、これら各グループ情報については、いずれか１つだけではなく、複数のグループ情報を同時に呼び出しすことができる。即ち、上記グループ選択スイッチ２５で、複数のグループ情報を選択することによって、これら各グループ情報に共通の１台のマイクロホン２を、これら各グループ情報によって指定される全てのスピーカ３、３、・・・に接続させることもできる。
【０００９】
そして、複数のマイクロホン２、２、・・・から制御信号が出力されている場合、即ち複数のマイクロホン２、２、・・・が使用される場合には、装置本体１内のＣＰＵ１２は、制御信号を出力しているマイクロホン２、２、・・・を、それぞれの制御信号に対応するグループ情報に従って、スピーカ３、３、・・・側に接続する。ただし、ＣＰＵ１２は、このように複数のマイクロホン２、２、・・・が同時に使用される場合に、個々のスピーカ３、３、・・・に対して、複数のマイクロホン２、２、・・・を接続することを禁止している。これは、個々のスピーカ３、３、・・・から、複数のマイクロホン２、２、・・・の放送音が同時に出力されると、このマトリックス装置を用いた放送設備自体が、それ本来の機能を果たさなくなるためである。
【００１０】
そこで、このようなマトリックス装置においては、各マイクロホン２、２、・・・に、予め優先順位を割り当てている。例えば、複数のマイクロホン２、２、・・・が同時に使用されているときであって、これら各マイクロホン２、２、・・・から出力される各制御信号に対応するグループ情報が、これら各マイクロホン２、２、・・・の接続先として、それぞれ同一の（１台またはそれ以上の）スピーカ３、３、・・・を指定するものである場合には、装置本体１側のＣＰＵ１２は、各マイクロホン２、２、・・・のうち、上記優先順位の最も高いものを優先して、これをスピーカ３、３、・・・に接続する。
【００１１】
なお、上記各グループ情報が、例えば、各マイクロホン２、２、・・・の接続先としてそれぞれ複数のスピーカ３、３、・・・を指定するものであるとき、これら複数のスピーカ３、３、・・・のうち、一部のスピーカ３、３、・・・、例えば１台のスピーカ３のみが各マイクロホン２、２、・・・に共通の接続先として指定される場合もある。このような場合、各マイクロホン２、２、・・・に共通のスピーカ３についてのみ上記優先順位を有効とするのか、若しくは指定されている全てのスピーカ３、３、・・・について上記優先順位を有効とするのか、の２つの選択肢が考えられるが、どちらを採用するのかについては、予め設定しておくことができる。
【００１２】
上記のように構成されたマトリックス装置において、例えば、今、或るマイクロホン２と或るスピーカ３とが接続されているとする。そして、この状態で、上記マイクロホン２よりも優先順位の低い別のマイクロホン２を使用するとする。このとき、この優先順位の低い方のマイクロホン２（のグループ情報）が、その接続先として、上記優先順位の高い方のマイクロホン２に接続されているスピーカ３を指定する場合には、この優先順位の低い方のマイクロホン２は、スピーカ３には接続されないことになる。しかし、従来のマトリックス装置では、今現在、いずれのスピーカ３、３、・・・が使用されているのか、また各スピーカ３、３、・・・に接続されているマイクロホン２、２、・・・の優先順位は高いのか低いのかを、各マイクロホン２、２、・・・側において知る手段を有していないため、上記のように優先順位の低い方のマイクロホン２については、実際に放送を試みて初めて、それが上記スピーカ３に接続されていないこと、即ち使用不可能な状態にあることを知る。また、この使用不可能な状態が、優先順位の高いマイクロホン２が使用されているためなのか、若しくは機器の故障等によるものなのかを知ることもできない。
【００１３】
【発明が解決しようとする課題】
即ち、本発明が解決しようとする問題点は、上記従来のマトリックス装置においては、各マイクロホン２、２、・・・側で、今現在、いずれのスピーカ３、３、・・・が使用されているのかの、各スピーカ３、３、・・・の使用状況を把握することができないという点である。
【００１４】
そこで、本発明は、マイクロホン２、２、・・・側において、スピーカ３、３、・・・の使用状況を把握することのできるマトリックス装置の配線状態表示装置を提供することを目的とする。また、各スピーカ３、３、・・・が使用状態にあるとき、これらに接続されているマイクロホン２、２、・・・が、個々のマイクロホン２、２、・・・を基準として、それよりも優先順位の高いものかのか低いものなのかを上記表示装置に表示させることも、本発明の特徴とするところである。
【００１５】
【課題を解決するための手段】
上述した目的を達成するために、本発明のうちで請求項１に記載の発明は、複数の入力機器と、
複数の出力機器と、
上記各入力機器と各出力機器との間に設けられ、これらを接続可能なマトリックス手段と、
上記各入力機器に対応して設けられ各入力機器をいずれの出力機器に接続するかの所謂配線パターンを表わすグループ情報が記憶されている記憶手段と、
上記各グループ情報のうちのいずれかによってそれぞれ指定された上記入力機器と上記出力機器とを接続するように上記マトリックス手段を制御すると共に、上記指定された出力機器に関する情報を出力するマトリックス制御手段と、
上記各入力機器にそれぞれ対応する上記各グループ情報に、上記指定された出力機器が含まれているか否かを判定するグループ判定手段と、
上記各入力機器にそれぞれ設けられ、上記グループ判定手段による判定結果を表示する表示手段と、
を具備するものである。
【００１６】
本請求項１に記載の発明によれば、マトリックス制御手段が、各グループ情報のいずれかに従って各入出力機器間を接続したとき、グループ判定手段が、上記接続された出力機器が、各入力機器にそれぞれ対応する各グループ情報に含まれているか否かを判定する。そして、この判定結果が、各入力機器にぞれぞれ設けられた表示手段に表示される。
【００１７】
請求項２に記載の発明は、請求項１に記載の発明のマトリックス装置の配線状態表示装置において、
上記各入力機器が、予め割り当てられた優先順位を有し、
上記マトリックス制御手段が、上記指定された出力機器に関する情報と共に、上記指定された入力機器に関する情報を出力し、
上記各入力機器毎に割り当てられた優先順位と、上記指定された入力機器に割り当てられた優先順位とを比較し、その比較結果を上記各表示手段にそれぞれ表示させる優先順位判定手段を備えたものである。
【００１８】
本請求項２に記載の発明によれば、各入力機器に、予め優先順位が割り当てられている。そして、マトリックス制御手段が、各グループ情報のいずれかに従って各入出力機器間を接続したとき、優先順位判定手段が、上記接続された入力機器の優先順位が、各入力機器毎の優先順位よりも高いのかまたは低いのか比較する。そして、この各入力機器毎に行われた比較結果が、上記表示手段に表示される。
【００１９】
【発明の実施の形態】
本発明の一実施の形態を、図１から図６を参照して説明する。図１（ａ）に示すように、本実施の形態は、マトリックス装置全体としては、上述した図７（ａ）に示す従来のものと同様の構成である。ただし、本実施の形態においては、装置本体１内のＣＰＵ１２が、マイクロホン２、２、・・・側のＣＰＵ２１と相互通信可能とされており、ＣＰＵ１２によるマトリックス回路１１の配線制御状態を表わす配線情報を、各マイクロホン２、２、・・・側のＣＰＵ２６に送信するよう構成（プログラム）されている。
【００２０】
一方、各マイクロホン２、２、・・・は、図１（ｂ）に示すように、上述した図７（ｂ）に示す従来の構成に対して、更に、ＣＰＵ２１によって制御される例えば発光ダイオード（ＬＥＤ）２７とモニタ装置２８とから成る表示手段を設けたものである。このマイクロホン２は、外観的には、例えば図２に示すような卓上型のもので、上述したグループ選択スイッチ２５については、複数、例えば１０個の押下型のスイッチ２５ａ、２５ａ、・・・から成り、これによって例えば１０系統のグループ情報を選択できるよう構成されている。そして、これら各スイッチ２５ａ、２５ａ、・・・の近傍に、それぞれ１つずつ上記ＬＥＤ２７、２７、・・・が配置されている。なお、各ＬＥＤ２７、２７、・・・の横方に点線で囲まれている部分は、例えば各スイッチ２５ａ、２５ａ、・・・毎に対応するグループ情報名（例えば各グループ情報によって指定されている出力先スピーカ３）等を自由に記入できるインデックス部である。そして、マイクロホン２の上方側に、例えば２行表示形式の液晶パネル構成の上記モニタ装置２８が配置されている。
【００２１】
即ち、本実施の形態によれば、装置本体１側のＣＰＵ１２から、このＣＰＵ１２によるマトリックス回路１１の配線制御状態を表わす配線情報、つまりはいずれのマイクロホン２、２、・・・がいずれのスピーカ３、３、・・・に接続されているのかの情報を、各マイクロホン２、２、・・・側のＣＰＵ２１、２１、・・・に送信することによって、各マイクロホン２、２、・・・のＣＰＵ２１、２１、・・・に対して、上記マトリックス回路１１の配線状態を認識させている。
【００２２】
そして、各マイクロホン２、２、・・・のＣＰＵ２１、２１、・・・は、それぞれのマイクロホン２、２、・・・の有するグループ情報と、上記配線状態、即ち今現在いずれのグループ情報が使用されているのか（いずれのグループ情報に基づいて配線が成されているのか）の情報とを比較して、それぞれのマイクロホン２、２、・・・の有するグループ情報の中に、上記使用中のグループ情報によって指定された（今現在使用中の）スピーカ３、３、・・・が含まれるか否かを判定している。そして、各マイクロホン２、２、・・・において、それぞれの有するグループ情報の中に、現在使用中のスピーカ３、３、・・・が含まれる場合に、そのグループ情報に対応するスイッチ２５ａ、２５ａ、・・・の近傍にあるＬＥＤ２７、２７、・・・を例えば点滅させて、そのグループ情報の中に上記使用中のスピーカ３、３、・・・が含まれる旨を表示する。
【００２３】
更に、各マイクロホン２、２、・・・内のＣＰＵ２１、２１、・・・は、上記ＬＥＤ２７、２７、・・・を点滅させているグループ情報に対応するマイクロホン２、２、・・・が、それぞれのマイクロホン２、２、・・・よりも上述した優先順位の高いものであるのか否かを判定している。そして、各マイクロホン２、２、・・・において、それぞれの優先順位が上記ＬＥＤ２７、２７、・・・を点滅させているグループ情報に対応するマイクロホン２、２、・・・以下であると判定した場合、各ＣＰＵ２１、２１、・・・は、上記点滅しているＬＥＤ２７、２７、・・・に対応するスイッチ２５ａ、２５ａ、・・・が押下されても、これを無効とする。そして、これと同時に、上記スイッチ２５ａ、２５ａ、・・・によるグループ情報の選択が無効である旨をモニタ２８に表示すると共に、上記ＬＥＤ２７、２７、・・・の点滅状態を継続する。
【００２４】
一方、各マイクロホン２、２、・・・において、それぞれの優先順位が上記ＬＥＤ２７、２７、・・・を点滅させているグループ情報に対応するマイクロホン２、２、・・・よりも高いと判定した場合、各ＣＰＵ２１、２１、・・・は、上記点滅しているＬＥＤ２７、２７、・・・に対応するスイッチ２５ａ、２５ａ、・・・が押下されると、この押下されたスイッチ２５ａ、２５ａ、・・・に対応する制御信号を出力する。そして、これと同時に、上記押下されたスイッチ２５ａ、２５ａ、・・・に対応するグループ情報名（番号）をモニタ２８に表示すると共に、上記ＬＥＤ２７、２７、・・・を点滅状態から点燈状態へと移行させることによって、上記スイッチ２５ａ、２５ａ、・・・によるグループ情報の選択を有効とした旨を表現する。
【００２５】
ところで、装置本体１側のＣＰＵ１２と、各マイクロホン２、２、・・・内のＣＰＵ２１とは、それぞれ次のフローチャートに示すように動作することによって、上記のようなＬＥＤ２７、２７、・・・及びモニタ２８の表示を実現する。
【００２６】
例えば、今、図３のフローチャートに示すように、装置本体１側において、ＣＰＵ１２によるマトリックス回路１１の配線経路が或る状態に更新されたとする（ステップＳ１０２）。その直後に、ＣＰＵ１２は、上記マトリックス回路１１の配線情報、即ちいずれのグループ情報に基づいて、いずれのマイクロホン２、２、・・・を、いずれのスピーカ３、３、・・・に接続しているかの情報を、各マイクロホン２、２、・・・側のＣＰＵ２１、２１、・・・に送信する（ステップＳ１０４）。
【００２７】
各マイクロホン２、２、・・・側のＣＰＵ２１、２１、・・・は、図４のフローチャートに示すように、上記配線情報を受信することによって、装置本体１内においてマトリックス回路１１の配線状態が変更されたことを認識する（ステップＳ２０１）。これによって、今現在、いずれのグループ情報に基づいて、いずれのマイクロホン２、２、・・・が、いずれのスピーカ３、３、・・・を使用しているかを認識する。
【００２８】
そして、各ＣＰＵ２１、２１、・・・は、それぞれのマイクロホン２、２、・・・毎に対応するグループ情報と、上記使用中のグループ情報とを比較して（ステップＳ２０４）、それぞれのグループ情報によってその出力先として指定しているスピーカ３、３、・・・の中に、上記使用中のグループ情報によって指定されているスピーカ３、３、・・・が存在するか否かを判定する（ステップＳ２０６）。そして、それぞれのグループ情報の中に、上記使用中のスピーカ３、３、・・・が存在する場合には、そのグループ情報に対応するグループ選択スイッチ２７の近傍にあるＬＥＤ２７を点滅させる（ステップＳ２０８）。なお、それぞれのグループ情報の中に、上記使用中のグループ情報によって指定されているスピーカ３、３、・・・が存在しない場合には、特に何も行なわない。そして、以上の動作を、それぞれのマイクロホン２、２、・・・毎に有する全てのグループ情報について行なう（ステップＳ２１０）。
【００２９】
次に、上記状態において、例えば或るマイクロホン２において、グループ選択スイッチ２５を構成するスイッチ２５ａ、２５ａ、・・・のうちのいずれかが押下されたとする。この場合、マイクロホン２内のＣＰＵ２１は、図５のフローチャートに示すように、上記スイッチ２５ａが押下されたことを認識した後（ステップＳ２１２）、このスイッチ２５ａに対応するグループ情報と、上記現在使用中のグループ情報とを、上述した優先順位の情報も含めて比較する（ステップＳ２１４）。
【００３０】
そして、上記押下されたスイッチ２５ａに対応するグループ情報に含まれるスピーカ３、３、・・・の中に、現在使用中のグループ情報に含まれるスピーカ３、３、・・・が存在するかを調べ、また、存在する場合には、そのスピーカ３、３、・・・に接続されているマイクロホン２、２、・・・の優先順位との関係を比較することによって、上記グループ情報を選択可能か否かを判定する（ステップＳ２１６）。
【００３１】
即ち、上記押下されたスイッチ２５ａに対応するグループ情報にの中に、現在使用中のグループ情報に含まれるスピーカ３、３、・・・が存在しない場合、また存在しているとしても、そのスピーカ３、３、・・・に接続されているマイクロホン２、２、・・・の優先順位が、このマイクロホン２の優先順位以下である場合には、上記グループ情報を選択可能と見なす。そして、上記押下されたスイッチ２５ａの近傍に配置されたＬＥＤ２７を点燈させると共に、上記選択されたグループ情報名（番号）をモニタ２８に表示する。これと同時に、上記選択されたグループ情報を、一旦、メモリ２６内に記憶させる（ステップＳ２１８）。
【００３２】
一方、上記ステップＳ２１６において、上記押下されたスイッチ２５ａに対応するグループ情報にの中に、このマイクロホン２よりも優先順位の高いマイクロホン２、２、・・・に接続されたスピーカ３、３、・・・が存在すると判定された場合は、上記押下されたスイッチ２５ａによるグループ情報の選択を無効と見なす。そして、上記グループ情報は選択できないということを、モニタ２８に表示する（ステップＳ２２０）。
【００３３】
なお、この図５に示すフローチャートの動作は、グループ選択スイッチ２５を構成する各スイッチ２５ａ、２５ａ、・・・がそれぞれ押下される度に実行される。
【００３４】
そして、次に、上記或るマイクロホン２のトークスイッチ２２が押下されたとする。この場合、このマイクロホン２内のＣＰＵ２１は、図６のフローチャートに示すように、トークスイッチ２２が押下されたことを認識した後（ステップＳ２２２）、上記図５のフローチャートのステップＳ２１８において、一旦、メモリ２６内に記憶されたグループ情報が存在するか否かを判断する（ステップＳ２２４）。そして、上記メモリ２６内に一旦記憶されたグループ情報が存在する場合には、このグループ情報に対応する制御信号を、装置本体１側のＣＰＵ１２に送信する（ステップＳ２２６）。一方、上記メモリ２６内に一旦記憶されたグループ情報が存在しない場合には、特に何も行なわず、例えばグループ選択スイッチ２５（スイッチ２５、２５、・・・）が押下されるのを待機する状態となる（ステップＳ２２８）。
【００３５】
以上のように、本実施の形態によれば、各マイクロホン２、２、・・・において、それぞれのグループ情報に含まれる（それぞれの接続先として指定されている）スピーカ３、３、・・・の中に、今現在、他のマイクロホン２、２、・・・で使用中のスピーカ３、３、・・・が存在するか否かを、ＬＥＤ２７、２７、・・・の発光状態により把握することができる。
【００３６】
また、グループ選択スイッチ２５（各スイッチ２５ａ、２５ａ、・・・）を押下したときに、その選択が有効であるか否かをＬＥＤ２７、２７、・・・の発光状態、及びモニタ２８の表示により確認できる。従って、グループ選択スイッチ２５によるグループ情報の選択が無効とされても、その原因が、他に優先順位の高いマイクロホン２、２、・・・が使用されているためであるのか、若しくはマトリックス装置の故障によるものであるのかを判断できる。
【００３７】
なお、本実施の形態においては、入力機器としてマイクロホン２、２、・・・を用い、出力機器としてスピーカ３、３、・・・を用いたが、これに限らない。
【００３８】
また、表示手段として、ＬＥＤ２７、２７、・・・とモニタ２８とを用いたが、他の表示手段を用いてもよい。
【００３９】
そして、各ＣＰＵ１２及び２１を、上述したフローチャートに従って動作させたが、上記と同様の作用を奏するのであれば、上記フローチャート以外の手順によって、各ＣＰＵ１２及び２１を動作させてもよい。また、装置本体１側のＣＰＵ１２から、直接各マイクロホン２、２、・・・側のＬＥＤ２７、２７、・・・及びモニタ２８の表示を制御するように構成してもよい。
【００４０】
【発明の効果】
以上のように、請求項１に記載の発明のマトリックス装置の配線状態表示装置は、各入力機器にそれぞれ表示手段を設けている。そして、この表示手段に、今現在使用されている出力機器が、各入力機器にそれぞれ対応する各グループ情報に含まれるものなのか、即ち各入力機器の接続先として指定されているものに含まれるのか否かを表示する。従って、各入力機器において、それぞれの接続先として指定されている出力機器に関する使用状態（接続状況）を把握できるという効果がある。
【００４１】
請求項２記載の発明のマトリックス装置の配線状態表示装置によれば、上記表示手段に、上記出力機器に接続されている入力機器が、それぞれの入力機器よりも優先順位の高いものなのかまたは低いものなのかが表示される。従って、今現在、使用状態にある入力機器の優先順位についても、それぞれの入力機器毎に把握することができるという効果がある。例えば、各入力機器において、これを或る出力機器に接続しようとしたとき、この出力機器が、今現在、それぞれの入力機器よりも優先順位の高いものに接続されているかどうか、即ちそれぞれの入力機器を接続可能かどうかを把握できる。
【図面の簡単な説明】
【図１】本発明の一実施の形態を示す概略構成図である。
【図２】同実施の形態のマイクロホンの外観を示す平面図である。
【図３】本実施の形態のマトリックス装置本体側のＣＰＵの動作を表わすフローチャートである。
【図４】本実施の形態のマイクロホン側のＣＰＵの動作を表わすフローチャートである。
【図５】上記図４に続くフローチャートである。
【図６】上記図４及び図５に続くフローチャートである。
【図７】従来のマトリックス装置の概略構成図である。
【符号の説明】
１  マトリックス装置本体
２  マイクロホン（入力機器）
３  スピーカ（出力機器）
１２、２１  ＣＰＵ（マトリックス制御手段、判定手段）
１３、２６  メモリ（記憶手段）
２７  ＬＥＤ（表示手段）
２８  モニタ（表示手段）
【図１】
0003580666.tif 000002
【図２】
0003580666.tif 000003
【図３】
0003580666.tif 000004
【図４】
0003580666.tif 000005
【図５】
0003580666.tif 000006
【図６】
0003580666.tif 000007
【図７】
0003580666.tif 000008